(57)【要約】      （修正有）【課題】加圧ポンプなしの装着型血圧測定装置を提供する。【解決手段】加圧ポンプなしの装着型血圧測定装置は、装着部品１０と、第１の帯状流体袋３０と、第２の帯状流体袋４０と、制御モジュール２０とを備える。装着部品は、ユーザに接触するための第１の側面１２１を有する。第１の帯状流体袋と第２の帯状流体袋は、装着部品の第１の側面に横並びに配置される。制御モジュールは、装着部品上に配置される。装着者は装着部品に力を加えることにより第１の帯状流体袋及び第２の帯状流体袋がユーザの手首を圧迫し、第１の帯状流体袋及び第２の帯状流体袋内にそれぞれ圧力が生成される。制御モジュールは、圧力を検出して比較する。圧力が所定値を超え、且つ圧力の差が所定の範囲内にある時、制御モジュールは、装着者に加えた力を徐々に弱めるように指示し、装着者の収縮期血圧及び拡張期血圧を測定する。【選択図】図３
0003211889.tif 000002
【実用新案登録請求の範囲】
【請求項１】
装着部品と、
装着者と接触するための前記装着部品の第１の側面に配置された第１の帯状流体袋と、
前記第１の側面に配置され、前記第１の帯状流体袋と並んで配置され、前記第１の帯状流体袋から所定の距離だけ離間した第２の帯状流体袋と、
前記装着部品上に配置された制御モジュールとを備え、
前記制御モジュールは、
前記第１の帯状流体袋と連通し、前記第１の帯状流体袋内の流体圧力を検出する第１の圧力検出素子と、
前記第２の帯状流体袋と連通し、前記第２の帯状流体袋内の流体圧力を検出する第２の圧力検出素子と、
前記第１の圧力検出素子と前記第２の圧力検出素子に電気的に接続された処理ユニットとを備え、
前記処理ユニットは、前記第１の圧力検出素子と前記第２の圧力検出素子によって検出された圧力値の差を比較するように適合されることを特徴とする加圧ポンプなしの装着型血圧測定装置。
【請求項２】
前記装着者が前記装着部品を装着する時、前記第１の帯状流体袋が前記第２の帯状流体袋よりも前記装着者の心臓に近いことを特徴とする請求項１に記載の加圧ポンプなしの装着型血圧測定装置。
【請求項３】
前記制御モジュールは、
前記装着部品の第２の側面に配置された筐体と、
前記第１の圧力検出素子と前記第１の帯状流体袋とをそれぞれ両端で接続する第１の管状部材と、
前記第２の圧力検出素子と前記第２の帯状流体袋とをそれぞれ両端で接続する第２の管状部材とを備え、
前記第２の側面は、前記第１の側面と対向し、
前記処理ユニット、前記第１の圧力検出素子、及び前記第２の圧力検出素子は、前記筐体内に配置されることを特徴とする請求項１または２に記載の加圧ポンプなしの装着型血圧測定装置。
【請求項４】
前記筐体内に配置され、前記処理ユニットと電気的に接続されたディスプレイパネルをさらに備え、
前記筐体は、前記ディスプレイパネルの表示面を露出させることを特徴とする請求項３に記載の加圧ポンプなしの装着型血圧測定装置。
【請求項５】
前記制御モジュールは、
前記筐体内に配置され、前記処理ユニットと電気的に接続された無線送信素子をさらに備えることを特徴とする請求項３または４に記載の加圧ポンプなしの装着型血圧測定装置。
【請求項６】
前記装着部品の前記第２の側面は、前記筐体が内部に配置された収納空間を有し、
前記第１の帯状流体袋は、前記第１の側面から前記装着部品を貫通し、前記第１の管状部材との接続のために、前記収納空間内に延びる第１の分岐管を有し、
前記第２の帯状流体袋は、前記第１の側面から前記装着部品を貫通し、前記第２の管状部材との接続のために、前記収納空間内に延びる第２の分岐管を有する請求項３ないし５のいずれかに記載の加圧ポンプなしの装着型血圧測定装置。
【請求項７】
前記収納空間は、底壁と、連結して前記底壁を囲む側壁とを備え、前記側壁に前記筐体を取り囲む凹構造が設けられ、前記筐体の縁は前記凹構造に係合することを特徴とする請求項６に記載の加圧ポンプなしの装着型血圧測定装置。
【請求項８】
前記収納空間の前記側壁には、前記凹構造に連通する結合孔がさらに設けられ、前記筐体の前記側壁には、前記結合孔に挿入される突出構造が設けられることを特徴とする請求項７に記載の加圧ポンプなしの装着型血圧測定装置。
【請求項９】
前記第１の管状部材及び前記第２の管状部材は硬質管であり、前記第１の分岐管及び前記第２の分岐管は可撓管であることを特徴とする請求項６ないし８のいずれかに記載の加圧ポンプなしの装着型血圧測定装置。
【請求項１０】
前記処理ユニットは、操作指示を表示するように制御され、前記操作指示は、
前記装着者に、前記第１の帯状流体袋及び前記第２の帯状流体袋を加圧するように、前記装着部品に力を加えることを指示するステップと、
前記第１の圧力検出素子及び前記第２の圧力検出素子によって検出された前記圧力値が所定の値を超えており、且つ前記第１の圧力検出素子及び前記第２の圧力検出素子によって検出された前記圧力値の差が所定の範囲内にある時、前記装着者に加えた力を徐々に弱めるように指示するステップとを含むことを特徴とする請求項１ないし９のいずれかに記載の加圧ポンプなしの装着型血圧測定装置。
【請求項１１】
前記装着部品は、リストバンドであることを特徴とする請求項１ないし１０のいずれかに記載の加圧ポンプなしの装着型血圧測定装置。
【考案の詳細な説明】
【技術分野】
【０００１】
本考案は、血圧測定装置、特に加圧ポンプなしの装着型血圧測定装置に関する。
【背景技術】
【０００２】
血圧の測定方法は１８９６年に遡れる。ドイツの病理学者フォン・レックリングハウゼンによる、血圧を測定するためにアームバッグのエアバッグの充気と排気を利用するプロセスでは、アームバッグ内に振動波が表示され、この振動波と人体の血圧とは対応関係を有する。しかし、この方法は聴診器の使用を必要とする。しかしながら、電子技術の発展により、この振動波はセンサの使用によって測定することができる。即ち、エアバッグの圧力が徐々に緩和されると、振動波が急遽に増加するポイントは収縮期血圧に対応し、振動波が平坦化し始めるポイントは拡張期血圧に対応する。これにより、人体の血圧が算出される。
【考案の概要】
【考案が解決しようとする課題】
【０００３】
従来の電子血圧計は、加圧ポンプでエアバッグを加圧し、エアバッグの圧力が血管を圧迫して血流を止めた後、エアバッグ内のガスを徐々に放出し、そして、順番に収縮期血圧と拡張期血圧を測定する。しかし、上述した従来の電子血圧計では、加圧ポンプと圧力リリーフ装置を設ける必要があり、電子血圧計のサイズはより大きくなる。近年普及する装着型装置では、加圧ポンプと圧力リリーフ装置の設置は装置全体の小型化にとって不利である。
【課題を解決するための手段】
【０００４】
本考案に係る加圧ポンプなしの装着型血圧測定装置は、装着型血圧測定装置の流体袋に圧力を加えて手首に押し付けながら血管を押圧するだけでよく、血流が止まった後は徐々に圧力を下げて、圧力検出素子によって圧力変化を測定し、収縮期血圧及び拡張期血圧を測定する。加圧ポンプなどの部品を使用しないことで装着型血圧測定装置の全体的な体積を小さくすることができ、加えて、本考案に係る装着型血圧測定装置は、２つの圧力検出素子と横並びの２つの流体袋とを使用することにより、手首の動きによる測定誤差を回避することができる。
【０００５】
本考案に係る加圧ポンプなしの装着型血圧測定装置は、装着部品と、第１の帯状流体袋と、第２の帯状流体袋と、制御モジュールとを備えることを特徴とする。第１の帯状流体袋と第２の帯状流体袋は、装着部品の第１の側面に横並びに配置され、且つ第１の帯状流体袋は第２の帯状流体袋から所定の距離に離れ、装着部品は第１の側面で装着者と接触する。制御モジュールは装着部品上に配置され、制御モジュールは第１の圧力検出素子と、第２の圧力検出素子と、処理ユニットとを含む。第１の圧力検出素子は第１の帯状流体袋内の流体圧力を検出するため、第１の帯状流体袋に接続され、第２の圧力検出素子は第２の帯状流体袋内の流体圧力を検出するため、第２の帯状流体袋に接続される。処理ユニットは、第１の圧力検出素子および第２の圧力検出素子に電気的に接続され、第１の圧力検出素子と第２の圧力検出素子によって検出された圧力値の差を比較するに適用される。
【０００６】
本考案の一実施例において、装着者が装着部品を装着する時、第１の帯状流体袋は、第２の帯状流体袋よりも装着者の心臓に近くなる。
【０００７】
本考案の別の実施例において、制御モジュールは、筐体と、第１の管状部材と、第２の管状部材とをさらに備える。筐体は、装着部品の第２の側面に配置され、第２の側面は、第１の側面と対向する。処理ユニット、第１の圧力検出素子及び第２の圧力検出素子は、筐体内に配置される。第１の管状部材の両端にそれぞれ第１の圧力検出素子と第１の帯状流体袋が接続され、第２の管状部材の両端にそれぞれ第２の圧力検出素子と第２の帯状流体袋が接続される。
【０００８】
本考案の別の実施例において、制御モジュールはディスプレイパネルをさらに備え、ディスプレイパネルは、筐体内に配置され、処理ユニットに電気的に接続され、ディスプレイパネルの表示面を筐体外に露出させる。
【０００９】
本考案の別の実施例において、制御モジュールは、無線送信素子をさらに備え、無線送信素子は、筐体内に配置され、処理ユニットに電気的に接続される。
【００１０】
本考案の別の実施例において、装着部品の第２の側面は、筐体が内部に配置された収納空間を有し、第１の帯状流体袋は、第１の側面から装着部品を貫通し、第１の管状部材との接続のために、収納空間内に延びる第１の分岐管を有し、第２の帯状流体袋は、第１の側面から装着部品を貫通し、第２の管状部材との接続のために、収納空間内に延びる第２の分岐管を有する。
【００１１】
本考案の別の実施例において、収納空間は、表示面と対向する底壁と、連結して底壁を囲む側壁とを備え、側壁に筐体を取り囲む凹構造が設けられ、筐体の縁は凹構造に係合する。
【００１２】
本考案の別の実施例において、収納空間の側壁には、凹構造に連通する結合孔がさらに設けられ、筐体の側壁には、結合孔に挿入される突出構造が設けられる。
【００１３】
本考案の別の実施例において、第１の管状部材及び第２の管状部材は硬質管であり、第１の分岐管及び第２の分岐管は可撓管である。
【００１４】
本考案の別の実施例において、処理ユニットは、操作指示を表示するように制御され、操作指示は、装着者に、第１の帯状流体袋及び第２の帯状流体袋を加圧するように、装着部品に力を加えることを指示するステップと、第１の圧力検出素子及び第２の圧力検出素子によって検出された圧力値が所定の値を超えており、且つ第１の圧力検出素子及び第２の圧力検出素子によって検出された圧力値の差が所定の範囲内にある時、装着者に加えた力を徐々に弱めるように指示するステップとを含む。
【００１５】
本考案の別の実施例において、装着部品はリストバンドである。
【考案の効果】
【００１６】
本考案に係る装着型血圧測定装置は、加圧ポンプを使用しないので、装着型血圧測定装置の全体的な体積を小さくすることができる。加えて、本考案に係る装着型血圧測定装置は、２つの圧力検出素子と横並びの２つの流体袋とを使用することにより、手首の動きによる測定誤差を回避することができる。
【００１７】
本考案の前述およびその他の目的、特徴及び利点は、添付の図面と併せて以下の詳細な説明から明らかになるであろう。
【図面の簡単な説明】
【００１８】
【図１】図１は、本考案に係る加圧ポンプなしの装着型血圧測定装置の実施例の概略立体図である。
【図２】図２は、図１の概略立体分解図である。
【図３】図３は、別の角度から見た図２の概略立体分解図である。
【図４】図４は、図１の概略立体断面図である。
【図５】図５は、本考案に係る加圧ポンプなしの装着型血圧測定装置の実施例の概略システムブロック図である。
【図６】図６は、本考案に係る加圧ポンプなしの装着型血圧測定装置の実施例の使用状態の概略図である。
【図７】図７は、本考案に係る加圧ポンプなしの装着型血圧測定装置の実施例の使用状態の概略図である。
【考案を実施するための形態】
【００１９】
図１、２、３及び４には、加圧ポンプなしの装着型血圧測定装置の実施例が示されている。本考案に係る加圧ポンプなしの装着型血圧測定装置１００は、装着部品１０、制御モジュール２０、第１の帯状流体袋３０、及び第２の帯状流体袋４０を備える。以下、各構成要素の構造をそれぞれ説明する。
【００２０】
この実施例において、装着部品１０は、例えば、環状であり、装着者の手首に装着、または取り囲むことができるリストバンド１２を備える。この装着部品１０は、全体として、第１の側面１２１及び第２の側面１２３を備える。第１の側面１２１と第２の側面１２３は対向し、第１の側面１２１は装着部品１０の内周面であり、装着者の手首に接触し、第２の側面１２３は装着部品１０の外周面である。本実施例において、装着部品１０は、収容部１４をさらに備える。収容部１４は、リストバンド１２に設けられ、リストバンド１２と一体的に形成されており、収容部１４の正面に収納空間１５が形成される。すなわち、装着部品１０の第２の側面１２３に収納空間１５が形成され、制御モジュール２０は、収納空間１５に設けられることができるが、これに限定されない。別の実施例において、収容部１４とリストバンド１２は、２つの独立の部材の組み合わせであってもよい。図２及び図４に参照すると、収納空間１５は凹状であり、底壁１５１と、底壁１５１を取り囲む側壁１５２とを備える。図４に示すように、側壁１５２には凹状構造（側壁１５２の断面はＵ字形に形成される）が形成され、また、図２に示すように、側壁１５２には凹状構造に連通する２つの結合孔１５３が形成される。なお、結合孔１５３の数は２つに限定されない。別の実施例において、結合孔１５３の数は１つまたは２つ以上であってもよい。制御モジュール２０は、凹状構造と係合して収容空間１５に設けられてもよい。次に、制御モジュール２０の構成について説明する。なお、本実施例において、装着部品１０は、リストバンド１２によって装着者の手首に装着され、または取り囲まれるが、これに限定されるものではない。別の実施例において、装着部品１０のリストバンド１２は、腕または身体の他の部分に装着するアームバンドまたは他の帯状装着部品で置き換えることもできる。
【００２１】
図２、図３及び図４に参照すると、第１の帯状流体袋３０及び第２の帯状流体袋４０は、収容部１４の裏面に配置される。即ち、第１の帯状流体袋３０及び第２の帯状流体袋４０は、装着部品１０の第１の側面１２１に配置される。本実施例において、第１の帯状流体袋３０及び第２の帯状流体袋４０は、例えば、平行に並べて、互いに所定の距離だけ離れる。装着者が装着部品１０を着用すると、第１の帯状流体袋３０の方はより装着者の身体に近く、第２の帯状流体袋４０の方はより装着者の手のひらに近い。即ち、第１の帯状流体袋３０は、第２の帯状流体袋４０よりも装着者の心臓に近い。そして、第１の帯状流体袋３０と第２の帯状流体袋４０は共に長い帯状であって、且つリストバンド１２の長手方向に沿って延びるので、リストバンド１２が手首に巻き付けられると、第１の帯状流体袋３０と第２の帯状流体袋４０が手首の同じ血管に押し付けられることができる。したがって、同じ血管を対象にして血圧を測定することができる。第１の帯状流体袋３０及び第２の帯状流体袋４０は、例えば、可撓管、例えば、シリコーン材料からなる可撓管、その直径は５ｍｍから６ｍｍの間であるが、これに限定されない。本実施例において、第１の帯状流体袋３０と第２の帯状流体袋４０に空気が充填されるが、別の実施例において、第１の帯状流体袋３０と第２の帯状流体袋４０に液体が充填されてもよい。第１の帯状流体袋３０は、第１の分岐管３２を有し、第２の帯状流体袋４０は、第２の分岐管４２を有する。第１の分岐管３２及び第２の分岐管４２は、第１の側面１２１から収容部１４を貫通して収納空間１５内に延びる。
【００２２】
図２及び図３に参照すると、制御モジュール２０は、筐体２２と、第１の管状部材２４と、第２の管状部材２６とを備える。第１の管状部材２４及び第２の管状部材２６は、筐体２２の裏面から突出して筐体２２の内部と外部を連通する。本実施例において、第１の管状部材２４と第２の管状部材２６は、筐体２２と同じ側に設けられるが、これに限定されるものではない。別の実施例において、第１の管状部材２４および第２の管状部材２６は、筐体２２の反対側に配置されてもよい。第１の分岐管３２及び第２の分岐管４２もそれに対応して反対側に設けられる。図２に参照すると、筐体２２の両端面の側壁上に２つの突出構造２９が形成される。突出構造２９の数は本考案に限定されるものではなく、その数は１つまたは２つ以上であってもよい。制御モジュール２０の筐体２２が収容部１４の収納空間１５に設けられると、収納空間１５の側壁１５２の凹状構造に筐体２２の縁が係合し、収納空間１５の結合孔１５３に突出構造２９が挿入される。突出構造２９の数は、結合孔１５３の数に対応し、これにより、制御モジュール２０は、収納空間１５内に位置決めされる。同時に第１の管状部材２４と第２の管状部材２６は、それぞれ第１の帯状流体袋３０の第１の分岐管３２と第２の帯状流体袋４０の第２の分岐管４２に接続される。これにより、制御モジュール２０は、第１の管状部材２４及び第２の管状部材２６に連通される。本実施例において、第１の管状部材２４及び第２の管状部材２６は、例えば硬質管であり、第１の分岐管３２及び第２の分岐配管４２は、例えば可撓管である。また、第１の管状部材２４及び第２の管状部材２６の外径は、第１の分岐管３２及び第２の分岐管４２の内径よりも僅かに大きくすることにより、第１の分岐管３２と第２の分岐管４２にそれぞれ第１の管状部材２４と第２の管状部材２６が挿入する時、可撓管の弾性によって封止効果を生ずることができる。
【００２３】
図５を参照すると、本考案の制御モジュール２０のシステムが示される。制御モジュール２０は、第１の圧力検出素子２１と、第２の圧力検出素子２３と、処理ユニット２５とをさらに備える。制御モジュール２０は、アナログ／デジタル変換素子２２ａと、アナログ／デジタル変換素子２２ｂと、無線送信素子２７とをさらに備えることができる。筐体２２には、第１の圧力検出素子２１、第２の圧力検出素子２３、処理ユニット２５、及び無線送信素子２７が設けられる。なお、制御モジュール２０は、ディスプレイパネル２８をさらに備え、ディスプレイパネル２８は筐体２２に設けられる。ディスプレイパネル２８のディスプレイ面が筐体２２外に露出され、装着者に見せることができる。第１の圧力検出素子２１は、第１の管状部材２４によって第１の帯状流体袋３０に接続され、第２の圧力検出素子２３は、第２の管状部材２６によって第２の帯状流体袋４０に接続される。装着者が装着部品に力を加えることにより第１の帯状流体袋３０及び第２の帯状流体袋４０が装着者の手首を圧迫すると、第１の帯状流体袋３０及び第２の帯状流体袋４０と手首との押圧によって、第１の帯状流体袋３０及び第２の帯状流体袋４０中の流体が圧力を発生する。第１の圧力検出素子２１と第２の圧力検出素子２３は、それぞれ第１の帯状流体袋３０と第２の帯状流体袋４０内の流体圧力を検出し、第１の圧力信号Ｓ１と第２の圧力信号Ｓ２を送信する。第１の圧力信号Ｓ１と第２の圧力信号Ｓ２は、それぞれアナログ／デジタル変換素子２２ａとアナログ／デジタル変換素子２２ｂを介して第１の圧力デジタル信号Ｓｄ１と第２の圧力デジタル信号Ｓｄ２に変換された後、処理ユニット２５に送信される。処理ユニット２５は、第１の圧力デジタル信号Ｓｄ１と第２の圧力デジタル信号Ｓｄ２とを所定値と比較し、第１の圧力デジタル信号Ｓｄ１及び第２の圧力デジタル信号Ｓｄ２が共に所定値を超えると、処理ユニット２５は、加えた力を徐々に弱めるよう、装着者に指示するメッセージをディスプレイパネル２８に送信する。処理ユニット２５は、第１の圧力デジタル信号Ｓｄ１と第２の圧力デジタル信号Ｓｄ２との差を比較する。装着者が徐々に加えた力を弱めると、第１の帯状流体袋３０及び第２の帯状流体袋４０の血管に対する圧力が徐々に解放され、血液はさっきまで圧力を受けた血管に流れ始め、心臓の鼓動による脈波が血液に伝わり始め、血圧を測定できる。一般的に、収縮期血圧とは、血圧の脈波が急速に大きくなり始めた値であって、拡張期の血圧とは、血圧の脈波が緩やかになり始めた値である。第１の帯状流体袋３０は、第２の帯状流体袋４０よりも心臓に近いので、第１の帯状流体袋３０から血圧が測定される時点は、第２の帯状流体袋４０から血圧が測定される時点より早い。したがって、第１の帯状流体袋３０から測定された圧力と第２の帯状流体袋４０から測定された圧力により、血圧の脈波が何時から大きくなり始めることを知ることができ、同時に血圧の脈波が何時から緩やかになり始めることを知ることができる。このように、第１の帯状流体袋３０と第２の帯状流体袋４０との圧力差が所定値に達すると、例えば、第１の帯状流体袋３０から測定された圧力値と第２の帯状流体袋４０から測定された圧力値との差が瞬間的に４０％に増えると、血圧の脈波が急速に大きくなることを示す。この時、第１の帯状流体袋３０から測定された圧力値を収縮期血圧の値とする。上記の４０％の値は一例に過ぎず、この値は設計要件に応じて調整することができ、本考案によって限定されるものではない。
【００２４】
そして、第１の帯状流体袋３０から測定された圧力値と第２の帯状流体袋４０から測定された圧力値との差がゼロに近くなると、血圧の脈波が緩やかになることを示す。この時、第１の帯状流体袋３０から測定された圧力値を拡張期血圧の値とする。そして、装着者の収縮期血圧及び拡張期血圧は、装着者に見せるためにディスプレイパネル２８に表示される。さらに、測定された収縮期血圧及び拡張期血圧は、無線送信素子２７を介して携帯装置（図示せず）に送信されてもよく、例えば、携帯電話に送信される。このように、個人用の携帯装置に記録する場合、携帯装置からクラウドに送信して記録する場合、または携帯装置から医療システムに提供する場合は便利である。別の実施例において、制御モジュール２０は、ディスプレイパネル２８を備えなくてもよく、処理ユニット２５は、無線送信素子２７を介して操作指示（例えば、力を掛けるまたは力を弱める）を携帯装置に直接送信し、装着者を指示することができる。測定された収縮期血圧及び拡張期血圧は、無線送信素子２７を介して携帯装置に直接送信され、携帯装置を介して装着者に見せることを可能にする。
【００２５】
図６及び図７は、装着者が血圧を測定するために本考案の加圧ポンプなしの装着型血圧測定装置を使用する様子を示す。図６に示すように、収容部１４の裏面に設けられた第１の帯状流体袋３０及び第２の帯状流体袋４０は、装着者の手首に押し付けられる。そして、処理ユニット２５は、例えば、第１の帯状流体袋３０及び第２の帯状流体袋４０を加圧するように、ディスプレイパネル２８を制御して操作指示を表示し、装着者に装着部品１０に力を加えることを指示する。例えば、ディスプレイパネル２８の赤色画像２８２が点滅し始めると、装着者はリストバンド１２を引っ張って、第１の帯状流体袋３０及び第２の帯状流体袋４０を装着者の手首に押し付けることができる。この時、第１の圧力検出素子２１及び第２の圧力検出素子２３は、第１の帯状流体袋３０及び第２の帯状流体袋４０内の流体圧力をそれぞれ検出し、測定した圧力値を処理ユニット２５に送信する。処理ユニット２５は、第１の帯状流体袋３０及び第２の帯状流体袋４０の圧力値を所定値（１８０ｍｍＨｇ以上、例えば２１０ｍｍＨｇなどであるが、これに限定されない）と比較する。第１の帯状流体袋３０及び第２の帯状流体袋４０の圧力値が共に前記所定値に超えて且つ第１の帯状流体袋３０及び第２の帯状流体袋４０の圧力値の差が所定の範囲内にある時、処理ユニット２５は、ディスプレイパネル２８にメッセージを送信し、装着者に加えた力を徐々に弱めるように指示する。図７に示すように、ディスプレイパネル２８は、例えば、点滅する緑色画像２８４を表示し、装着者が徐々に加えた力を弱めることを指示しながら、装着者に血圧の測定を開始するように指示する。その後、装着者は徐々に加えた力を除去し、装着者の収縮期血圧及び拡張期血圧を測定し、装着者の収縮期血圧及び拡張期血圧をディスプレイパネル２８に表示する。
【００２６】
本考案の加圧ポンプなしの装着型血圧測定装置は、加圧ポンプを使用しないことで、装着型血圧測定装置の流体袋に圧力を加えて手首に押し付けて血管を押し付ければ、血圧を測定することができる。加圧ポンプなどの部品を使用しないことで、装着型血圧測定装置の全体的な体積を小さくすることができる。さらに、本考案の装着型血圧測定装置は、流体袋を２つ横並びで使用することで、手首が動いているまたは圧迫されることがある場合、横並びの２つの流体袋によって測定された圧力は、著しく異なることになりやすい。圧力差が大きすぎる場合、これが通常の使用状態ではないと判断できるため、測定の誤差を回避することができる。さらに、情報を表示して、装着者が手首の姿勢を調整できるように、手首が動いているまたは圧迫されたことを装着者に知らせることができる。
【００２７】
以上、本考案は、好ましい実施例として開示されているが、本考案を限定するものではなく、当業者に一般的な知識があり、本考案の精神及び範囲内において、少しの変更を加えたり修正したりすることができる。本考案の保護範囲は、実用新案登録請求の範囲によって規定される。
【符号の説明】
【００２８】
１０  装着部品
１２  リストバンド
１４  収容部
１５  収納空間
２０  制御モジュール
２１  第１の圧力検出素子
２２  筐体
２２ａ  アナログ／デジタル変換素子
２２ｂ  アナログ／デジタル変換素子
２３  第２の圧力検出素子
２４  第１の管状部材
２５  処理ユニット
２６  第２の管状部材
２７  無線送信素子
２８  ディスプレイパネル
２８２  赤色画像
２８４  緑色画像
２９  突出構造
３０  第１の帯状流体袋
３２  第１の分岐管
４０  第２の帯状流体袋
４２  第２の分岐管
１００  加圧ポンプなしの装着型血圧測定装置
１２１  第１の側面
１２３  第２の側面
１５１  底壁
１５２  側壁
１５３  結合孔
Ｓ１  第１の圧力信号
Ｓ２  第２の圧力信号
Ｓｄ１  第１の圧力デジタル信号
Ｓｄ２  第２の圧力デジタル信号
【図１】
0003211889.tif 000003
【図２】
0003211889.tif 000004
【図３】
0003211889.tif 000005
【図４】
0003211889.tif 000006
【図５】
0003211889.tif 000007
【図６】
0003211889.tif 000008
【図７】
0003211889.tif 000009